(57)【要約】【課題】部品点数を増加することなく、アクセサリ―ユニットと撮像装置本体との着脱機構の結合状態をガタなく維持する撮像装置を提供すること。【解決手段】撮像装置本体と、アクセサリーと、アクセサリーに搭載され、撮像装置本体に機械的に着脱可能な略Ｖ字形状のプレートと、本体側に設定された前記プレートに相対する略Ｖ字形状の溝を持った本体側アクセサリ―取付部と、取付部に構成された着脱ノブ部と、プレートには固定用の第一のロック溝と、第二のロック溝を持ち、着脱ノブ部にはプレートを固定するための第一のロック部及び、第二のロック部を持ち、第一のと第二のロック部は略Ｖ字形状の略中心部を挟んで反対側に配置されることを特徴とする。【選択図】図４ａ
2017224911.tif 000002
【特許請求の範囲】
【請求項１】
撮像装置本体と、
アクセサリーと、
前記アクセサリーに搭載され、前記撮像装置本体に機械的に着脱可能なＶ字形状のプレートと、
本体側に設定された前記プレートに相対するＶ字形状の溝を持った本体側アクセサリー取付部と、
前記取付部に構成された着脱ノブ部と、
前記プレートには固定用の第一のロック溝と、第二のロック溝を持ち、
前記着脱ノブ部には前記プレートを固定するための第一のロック部及び、第二のロック部を持ち、
前記第一のと第二のロック部はＶ字形状の中心部を挟んで反対側に配置されることを特徴とする撮像装置。
【請求項２】
前記第一のロック部と前記プレートとのノブ操作方向のロック掛かり長さは、前記第二のロック部と前記プレートとのノブ操作方向のロック掛かり長さよりも長く構成され、前記第一のロック部及び、第二のロック部はプレート挿入時に、前記第一のロック部が先当たりすることにより第二のロック部がプレートの挿入を妨げることがないことを特徴とする請求項１に記載の撮像装置。
【請求項３】
前記第一と第二のロック部はそれぞれ引き込み用の斜め面を持つことを特徴とする請求項１又は請求項２に記載の撮像装置。
【発明の詳細な説明】
【技術分野】
【０００１】
本発明は、撮像装置のアクセサリーの着脱に関する。
【背景技術】
【０００２】
例えば、放送局用の撮像装置等は用途に応じてアダプターを交換する必要があり、カメラヘッド用筐体とアダプター用筐体は、結合、分離する構成が望まれる。そのため、カメラヘッド用筐体とアダプター用筐体には、着脱機構が設けられている。
【０００３】
特許文献１では、図５（ａ）に示すように、撮像装置１にはカメラヘッド用筐体２と、カメラヘッド用筐体２の背面部に着脱機構４を介して結合するアダプター用筐体３とが設けられている。
【０００４】
着脱機構４は、カメラヘッド用筐体２に設けられた係止板受け取付部５と、アダプター用筐体３に設けられた係止板取付部６とで構成されている。係止板受け取付部５と係止板取付部６には、溝幅が上方から下方（矢印Ｈ）に向かって漸次小さくなる係止板受け７と、幅が上方から下方（矢印Ｈ）に向かって漸次小さくなる係止板８とが設けられている。図５（ｃ）に示すように、係止板受け７と係止板８は、嵌合関係となるように、断面がハの字状になった溝となるアリ溝形状と、断面がハの字状になった凸となるアリガタ形状とで構成されている。
【０００５】
次に、着脱機構４には、係止板受け７と係止板８の嵌合関係を維持して結合状態とするための係止機構１１が設けられている。図５（ｂ）に示すように、係止機構１１には、係止板受け７に設けられた係止爪１２と、係止板８に設けられた凹部１３とが設けられている。この係止爪１２は、係止板受け取付部５に設けられた図示しないガイド溝１４に挿入されて左右方向に移動可能に構成されている。そして、係止爪１２は、凹部１３に係止することにより、係止板受け７と係止板８の嵌合関係を維持して結合状態としている。なお、カメラヘッド用筐体２とアダプター用筐体３には、各々が互いに電気的に接続可能な第１コネクタ９と第２コネクタ１０が設けられ、結合状態において接続される。
【０００６】
このように、筺体に対して着脱機構４を用いて、垂直方向（矢印Ｇ、Ｈ）に着脱可能とする装置を提供している。
【先行技術文献】
【特許文献】
【０００７】
【特許文献１】実公昭６３−９９０７号公報
【発明の概要】
【発明が解決しようとする課題】
【０００８】
しかしながら、上記従来例では、結合状態を維持する係止機構１１は片持ち固定である。そのため、ロック部材がない片側にガタが発生しやすく、また係止機構１１の係止爪１２に大きな外力が掛り変形を起こし、更には係止が外れて抜け出す可能性がある。
【課題を解決するための手段】
【０００９】
上記の課題を解決するために、本発明に係る撮像装置は、
撮像装置本体と、アクセサリーと、アクセサリーに搭載され、撮像装置本体に機械的に着脱可能な略Ｖ字形状のプレートと、本体側に設定された前記プレートに相対する略Ｖ字形状の溝を持った本体側アクセサリー取付部と、取付部に構成された着脱ノブ部と、プレートには固定用の第一のロック溝と、第二のロック溝を持ち、着脱ノブ部にはプレートを固定するための第一のロック部及び、第二のロック部を持ち、第一のと第二のロック部は略Ｖ字形状の略中心部を挟んで反対側に配置されることを特徴とする。
【発明の効果】
【００１０】
本発明によれば、部品点数を増加することなく、アクセサリーユニットと撮像装置本体との着脱機構の結合状態をガタなく維持する撮像装置を提供することができる。
【図面の簡単な説明】
【００１１】
【図１ａ】撮像装置３０１のカメラ本体部３１０と操作者が各種設定をするためのアクセサリーユニット３２０を示した斜視図である。
【図１ｂ】撮像装置３０１のカメラ本体部３１０の左側面を正面からみた斜視図である。
【図２ａ】アクセサリーユニット３２０を背面からみた図である。
【図２ｂ】アクセサリーユニット３２０を側面からみた図である。
【図３ａ】着脱機構４００が結合した状態を示す図である。
【図３ｂ】着脱機構４００を展開した図である。
【図４ａ】係止機構４０１が係止した状態を示す図である。
【図４ｂ】係止機構４０１の係止を解除した状態を示す図である。
【図５ａ】従来例の撮像装置１を示す図である。
【図５ｂ】従来例の着脱機構４が結合した状態を示す図である。
【図５ｃ】図５ｂのＰＰ’断面を示す図である。
【発明を実施するための形態】
【００１２】
以下、本発明を実施するための形態について、図面を参照しながら説明する。
【００１３】
＜第１の実施形態＞
以下に本発明の実施例を示す。なお本実施例においてはレンズ交換式の撮像装置としてビデオカメラを例示している。
【００１４】
図１（ａ）は撮像装置３０１のカメラ本体部３１０と操作者が各種設定をするためのアクセサリーユニット３２０を示した斜視図である。
【００１５】
カメラ本体部３１０の正面側には交換式レンズ３０２を設置するための、レンズマウント３１１が設けられている。本体部１０の左側面にはＬカバー３１２が設けられている。Ｌカバー３１２の前方には、アクセサリーユニット３２０に各種信号を伝達するための本体側操作ユニット接続端子３１３が設けられている。また、カメラ本体部３１０とアクセサリ―ユニット３２０には、取付部ユニット１００とプレートユニット２００と係止機構４０１とで構成された着脱機構４００が設けられている。そのため、カメラ本体部３１０とアクセサリーユニット３２０は、結合・分離することができる。
【００１６】
図１（ｂ）は撮像装置３０１のカメラ本体部３１０の左側面を正面からみた斜視図であり、カメラ本体部３１０にアクセサリーユニット３２０を結合した状態を示す。
【００１７】
アクセサリーユニット３２０には、各種設定値の確認、操作を行うためのアクセサリー本体部２１０が設けられている。アクセサリー本体部２１０の表面には、各種設定値を表示するための表示パネル２１１と、各種設定値の操作を行うための操作ダイヤル２１２、操作ボタン２１３ａ、２１３ｂ、２１３ｃと、各種設定値の操作を決定する決定ボタン２１４と、記録の開始、停止を実行するための記録ボタン２１５と、が設けられている。また、アクセサリーユニット３２０には、アクセサリー本体部２１０をカメラ本体部３１０に対して水平方向（矢印Ａ、Ｂ）に着脱可能とするためのプレートユニット２００が設けられている。
【００１８】
図２（ａ）はアクセサリーユニット３２０を背面からみた図である。図２（ｂ）はアクセサリーユニット３２０を側面からみた図である。
【００１９】
着脱機構４００のプレートユニット２００には、断面がハの字状になった凸となるアリガタであり、かつ略Ｖ字形状であるプレート２０１が設けられている。
【００２０】
プレートユニット２００には、アクセサリー本体部２１０に対してプレート２０１を回転軸Ｃを中心に回転可能に支持するためのヒンジ部２０６とヒンジ部２０６を覆うことで外装を構成するヒンジカバー２０７が設けられている。
【００２１】
アクセサリー本体部２１０の裏面には、収納部２１６が形成されている。プレート２０１が取付けられたヒンジ部２０６とヒンジカバー２０７を矢印Ｅに示す方向に回転させることで、プレート２０１は収納部２１６に収容される。
【００２２】
また、アクセサリーユニット３２０の側面には操作ユニット接続端子２１７が設けられている。操作ユニット接続端子２１７と、本体側操作ユニット接続端子３１３に、操作ユニットケーブル３０３を接続することで、カメラ本体部３１０とアクセサリーユニット３２０が電気的に接続される。これによって、操作者がカメラ本体部３１０から離れた位置で各種操作を行うことができる。
【００２３】
図３（ａ）は着脱機構４００が結合した状態を示す図である。図３（ｂ）は着脱機構４００を展開した図である。
【００２４】
着脱機構４００の取付部ユニット１００には、アクセサリーユニット３２０をカメラ本体部３１０に対して着脱可能とするための取付部１０１が設けられている。
【００２５】
取付部１０１は、プレート２０１に相対する略Ｖ字形状の溝が形成され、前述したプレート２０１のアリガタに嵌合可能に構成されている。取付部１０１の裏面には、ガイド溝１０３が形成され、固定板１０８に囲われるように着脱ノブ部１０４がスライド移動可能に構成されている。
【００２６】
ガイド溝１０３には、着脱ノブ部１０４に形成された第一のロック部１０５と第二のロック部１０６が通る穴部１０９ａと穴部１０９ｂが形成されている。また、ガイド溝１０３には、着脱ノブ部１０４を付勢する付勢バネ１０７が設けられている。
【００２７】
図４（ａ）は係止機構４０１が係止した状態を示す図である。図４（ｂ）は係止機構４０１の係止を解除した状態を示す図である。
【００２８】
着脱機構４００の係止機構４０１を構成するプレート２０１と着脱ノブ部１０４には、係止関係となる第一のロック溝２０４と第二のロック溝２０５と、第一のロック部１０５と第二のロック部１０６とが構成されている。第一のロック溝２０４と第二のロック溝２０５は、プレート２０１の略Ｖ字形状の略中心部を挟んで反対側に配置されている。第二のロック溝２０５は、形状の端部まで繋がっており開口部２０５ａを形成している穴部１０９ｂ。
【００２９】
次に、アクセサリーユニット３２０をカメラ本体部３１０に結合する動作について説明する。
【００３０】
カメラ本体部３１０に対して矢印Ａ方向にアクセサリーユニット３２０を挿入させると、プレート２０１が取付部１０１に挿入される。その際、プレート２０１に形成された一角を構成する先当たり部２０１ａは、第一のロック部１０５に形成された先当たり部１０５ａを押し上げる。この時、第一のロック部１０５とプレート２０１とのノブ操作方向（矢印Ｆ、Ｇ）のロック掛かり長さＮは、第二のロック部１０６とプレート２０１とのノブ操作方向のロック掛かり長さＭよりも長く構成されているため、図４（ｂ）に示すように、第二のロック部１０６は開口部２０５ａを通過することができる。その後、付勢バネ１０７により着脱ノブ部１０４がＧ方向に付勢され、第一のロック部１０５と第二のロック部１０６が第一のロック溝２０４と第二のロック溝２０５に係止することで、アクセサリーユニット３２０は、カメラ本体部３１０に結合された図１（ａ）に示す状態となる。
【００３１】
このように、第一のロック部１０５が先当たりすることにより、第二のロック部１０６がプレートの挿入を妨げることがない。また、第一のロック部１０５と第二のロック部１０６には、それぞれ引き込み用の斜め面となる引き込み部１０５ｂと引き込み部１０６ｂを形成することにより、アクセサリ―ユニット３２０はガタなく結合することができる。
【００３２】
次に、アクセサリ―ユニット３２０をカメラ本体部３１０から取り外す動作について説明する。
【００３３】
図４（ａ）に示す状態から着脱ノブ部１０４を矢印Ｆに示す方向にスライド移動させると、着脱ノブ部１０４の第一のロック部１０５と第二のロック部１０６は、第一のロック溝２０４と第二のロック溝２０５より係止状態が外れた図４（ｂ）の状態となる。そして、取付部１０１は、矢印Ａに示す方向に移動することができ、アクセサリ―ユニット３２０をカメラ本体部３１０から分離することが可能となる。
【００３４】
本実施の形態によれば、第一のロック部１０５と第二のロック部１０６が略Ｖ字形状の略中心部を挟んで反対側に配置され、それぞれに引き込み用の斜め面となる引き込み部１０５ｂと引き込み部１０６ｂを形成することにより、着脱機構４００はガタなく結合することができる。
【００３５】
また、結合状態を維持する着脱ノブ部１０４は、取付部１０１の裏面に構成しているため、ガイド溝１０３の全面にて着脱ノブ部１０４に掛かる外力を受けることができる。また、結合状態を維持する着脱ノブ部１０４は、同一部品上に第一のロック部１０５と第二のロック部１０６を構成しているため、部品を追加することなく両持ち固定にて外力を受けることができる。そのため、係止機構４０１の着脱ノブ部１０４に大きな外力が掛り変形を起こし、更には係止が外れて抜け出す可能性がない。
【００３６】
従って、部品点数を増加することなく、アクセサリーユニットと撮像装置本体との着脱機構の結合状態をガタなく維持する撮像装置を提供することができる。
【符号の説明】
【００３７】
１  撮像装置、２  カメラヘッド用筐体、３  アダプター用筐体、４  着脱機構、
５  係止板受け取付部、６  係止板取付部、７  係止板受け、８  係止板、
９  第１コネクタ、１０  第２コネクタ、１１  係止機構、１２  係止爪、１３  凹部、
１４  ガイド溝、１５  アクセサリーユニット、２０  撮像装置、２１  Ｌカバー、
４１  情報表示パネル、４２  操作ボタン、４３  操作ダイヤル、３０１  撮像装置、
３０２  交換式レンズ、３０３  操作ユニットケーブル、３１０  カメラ本体部、
３１１  レンズマウント、３１２  Ｌカバー、３１３  本体側操作ユニット接続端子、
３２０  アクセサリーユニット、１００  取付部ユニット、１０１  取付部、
１０３  ガイド溝、１０４  着脱ノブ部、１０５  第一のロック部、
１０５ａ  先当たり部、１０５ｂ  引き込み部、１０６  第二のロック部、
１０６ｂ  引き込み部、１０７  付勢バネ、１０８  固定板、１０９ａ  穴部、
１０９ｂ  穴部、２００  プレートユニット、２０１  プレート、
２０１ａ  先当たり部、２０４  第一のロック溝、２０５  第二のロック溝、
２０５ａ  開口部、２０６  ヒンジ部、２０７  ヒンジカバー、
２１０  アクセサリー本体部、２１１  表示パネル、２１２  操作ダイヤル、
２１３ｃ  操作ボタン２１３ａ、２１３ｂ、２１４  決定ボタン、２１５  記録ボタン、
２１６  収納部、２１７  操作ユニット接続端子、４００  着脱機構、
４０１  係止機構
【図１ａ】
2017224911.tif 000003
【図１ｂ】
2017224911.tif 000004
【図２ａ】
2017224911.tif 000005
【図２ｂ】
2017224911.tif 000006
【図３ａ】
2017224911.tif 000007
【図３ｂ】
2017224911.tif 000008
【図４ａ】
2017224911.tif 000009
【図４ｂ】
2017224911.tif 000010
【図５ａ】
2017224911.tif 000011
【図５ｂ】
2017224911.tif 000012
【図５ｃ】
2017224911.tif 000013